【事件の表示】
　特願２００１−３９２４５３「ライトワンス型メモリ装置及びファイル管理方法」拒絶査定不服審判事件〔平成１５年　７月１１日出願公開、特開２００３−１９６１４２〕について、次のとおり審決する。
【結　論】
　本件審判の請求は、成り立たない。
【理　由】
１．手続の経緯
　本願は、平成１３年１２月２５日の出願であって、平成１８年６月３０日付けで拒絶査定がなされ、これに対し、平成１８年８月３日に拒絶査定不服審判の請求がなされたものである。
　
２．本願発明
　本願の請求項１に係る発明は、平成１８年５月２２日付けの手続補正書により補正された明細書及び図面の記載からみて、その特許請求の範囲の請求項１に記載された次のとおりのものと認める。（以下、「本願発明」という。）
　
「【請求項１】
　データをビット単位で１回だけ書き込み可能な記録媒体であって、ファイルの実体データが記録される実体データ記録領域と、記録されているファイルを階層ディレクトリ構造で管理する管理データが記録される管理データ記録領域と有する記録媒体と、
　上記記録媒体とホスト機器との間のデータのやり取りを制御するメモリコントローラとを備え、
　上記管理データ記録領域には、上記管理データとして、当該記録媒体に記録されたファイルを指示するファイルエントリ、階層ディレクトリ構造における最上位ディレクトリを指示するルートエントリ、及び、階層ディレクトリ構造におけるサブディレクトリを指示するサブエントリが、上記メモリコントローラによって、生成された各ファイル、ルートディレクトリ及びサブディレクトリに対応して記録され、
　上記ファイルエントリには、指示しているファイルの名称と、当該ファイルの親ディレクトリを指示するルートエントリ又はサブエントリを特定する情報と、当該ファイルの実体データの記録位置を特定する情報とが含められており、
　上記サブエントリには、指示しているサブディレクトリの名称と、当該サブディレクトリの親ディレクトリを指示するルートエントリ又はサブエントリを特定する情報とが含められていることを特徴とするメモリ装置。」
　
３．引用例
［引用例１］
　そこで、原査定の拒絶の理由に引用された特開平４−１８６４４７号公報（以下、「引用例１」という。）の記載を検討するに、引用例１には図面と共に次の事項が記載されている。
（ア）「［産業上の利用分野］
　本発明は、特に記録データの書き換えが不可能な情報記録媒体に記録されたファイルを階層ディレクトリ管理するディレクトリ管理方式に関する。」（第１頁左欄第１６行目〜右欄第３行目）
　
（イ）「そして、最上位のディレクトリをルートディレクトリといい、その他の下位のディレクトリはサブディレクトリといい、さらにサブディレクトリの上位ディレクトリを親ディレクトリという。」（第２頁左上欄第５〜８行目）
　
（ウ）「［発明が解決しようとする課題］
　しかしながら、記録データの消去が不可能な情報記録媒体で磁気ディスクと同様の階層ディレクトリ管理方式を行うと、ファイルの追加、変更の度にサブディレクトリまたはルートディレクトリを新たに追記しなければならず、変更する必要の無いディレクトリエントリまで再記録することから、変更のない多くのディレクトリエントリを重複して記録することになり、これらが無駄に残存したままとなり、有効な記録容量を減らすうえ、ディレクトリの検索時間も長くなる欠点がある。
　本発明は、記録データの書き換えが不可能な情報記録媒体に対する階層ディレクトリ管理に適したディレクトリ管理方式を提供することを目的とする。」（第３頁左上欄第５〜２０行目）
　
（エ）「第２図は、上記ディレクトリエントリのフォーマット例を示す模式図である。
　シリアル番号１０１は、各ディレクトリエントリを識別する情報である。
　ファイル名１０２は、ディレクトリエントリが示すファイルに付ける名称である。
　属性１０３は、ディレクトリエントリの種類を判別するものである。
　位置情報１０４は、ディレクトリエントリが管理するファイルが記録媒体のどの場所（セクタアドレス等）に記録されているかを示すものである。
　ファイルサイズ１０５は、ディレクトリエントリが管理するファイルの大きさ（使用セクタ数、バイト数等）を示すものである。
　親情報１０６は、ディレクトリエントリの親ディレクトリを識別する情報である。」（第３頁右下欄第２〜１８行目）
　
（オ）「第４図は、情報記録媒体に記録された各ディレクトリエントリの一覧表を示す模式図である。
　記録媒体上には、サブディレクトリＡ、ＢのディレクトリエントリとファイルＦ１〜Ｆ４のディレクトリエントリおよびファイルＦ１〜Ｆ４が第２図のフォーマットで記録されている。
　各シリアル番号は、記録したディレクトリエントリに、その記録順に付け、他のディレクトリエントリの親情報として用いる。ルートディレクトリは情報記録媒体には記録しないが、シリアル番号は０とする。したがって、ルートディレクトリのシリアル番号０はファイルＦ１とサブディレクトリＡの親情報としてのみ記録されている。
　また、属性は、通常ファイルとサブディレクトリがあり、ｆが通常ファイル、ｓがサブディレクトリを示している。属性がサブディレクトリのディレクトリエントリは、記録媒体上のデータを管理するものではなく、データを読み出して階層構造にしたときのサブディレクトリの名前（ここではＡまたはＢ）を表すものである。したがって、ディレクトリエントリの集合としてのサブディレクトリＡ、Ｂ自体は、記録媒体上には記録されていない。
　さらに、位置情報のＦ１−ＴＯＰ、Ｆ２−ＴＯＰ、Ｆ３−ＴＯＰ、Ｆ４−ＴＯＰは、それぞれファイルＦ１、Ｆ２、Ｆ３、Ｆ４が記録媒体上のどこから記録されているかを示し、ファイルサイズのＦ１−ＳＩＺＥ、Ｆ２−ＳＩＺＥ、Ｆ３−ＳＩＺＥ、Ｆ４−ＳＩＺＥは、それぞれファイルＦ１、Ｆ２、Ｆ３、Ｆ４のバイト数を示す。
　位置情報とファイルサイズは、属性が通常ファイルの時にだけ有効で、属性がサブディレクトリのときには意味を持たない。
　各ディレクトリエントリは、情報記録媒体に１つずつ書き込み、読み出しができるようになっている。また、ディレクトリエントリの読み出しはシリアル番号の１から順に読み出す。」（第４頁左上欄第１１行目〜左下欄第７行目）
　
（カ）「［発明の効果］
　以上説明したように、本発明によれば、ファイルの追加、変更によってディレクトリエントリに変更が生じた場合も、変更しなければならないディレクトリエントリを再記録するだけでよく、特に記録データの書き換えが不可能な情報記録媒体に対する階層ディレクトリ管理において、記録容量の節約および検索時間の短縮を図ることができる効果がある。」（第７頁左上欄第４〜１２行目）
　
　上記摘記事項（ア）〜（カ）、及び、図面によれば、引用例１には次の発明（以下、「引用発明１」という。）が記載されている。
　
「記録データの書き込みは可能だが書き換えが不可能な情報記録媒体に記録されたファイルを階層ディレクトリ管理するディレクトリ管理方式において、
　上記記録媒体上には、サブディレクトリＡ、ＢのディレクトリエントリとファイルＦ１〜Ｆ４のディレクトリエントリおよびファイルＦ１〜Ｆ４が記録され、
　ファイルＦ１〜Ｆ４のディレクトリエントリは、各ディレクトリエントリを識別するシリアル番号と、ディレクトリエントリが示すファイルに付ける名称であるファイル名と、属性と、ディレクトリエントリが管理するファイルが記録媒体のどの場所に記録されているかを示す位置情報と、ファイルサイズと、ディレクトリエントリの親ディレクトリをシリアル番号で識別する親情報とを含み、
　サブディレクトリＡ、Ｂのディレクトリエントリには、各ディレクトリエントリを識別するシリアル番号と、サブディレクトリの名前と、属性と、ディレクトリエントリの親ディレクトリをシリアル番号で識別する親情報とを含み、
　ルートディレクトリに対応するシリアル番号を０とする、
ディレクトリ管理方式。」
　
［引用例２］
　原査定の拒絶の理由に引用された特開平５−６２９９号公報（以下、「引用例２」という。）には、図面とともに次の事項が記載されている。
　
（キ）「【０００４】ところで、従来の光カードは、ライトワンスメディアが使用されることが多く、書き込みが制限されることから、ディレクトリによるファイル管理としては種々の方法が考えられている。」
　
（ク）「【０００６】また、メディア上にディレクトリ情報登録領域を設けることもある。図１１は従来例の光カードを示す説明図である。光カード１にはディレクトリ情報登録領域２とファイルデータ領域３とが設けられている。ファイルデータ領域３には各ファイルデータが記録される。ディレクトリ情報登録領域２は、データの入出力を制御する図示しないマイクロコンピュータのＯＳによるディレクトリ管理の形態とは異なるメディア独自の形態で構成されている。
【０００７】一般に、ＯＳの下でのファイルは、ディレクトリ情報とファイルアロケーション情報によって管理されている。ディレクトリ情報によってファイルの先頭位置が示され、ファイルアロケーション情報によってこのファイルがどのセクタに書き込まれているかのチェーンが示される。これに対し、先行例の光カードにおいては、ファイルデータ領域３に対するファイルの書き込みが完結した時点において、ファイル名、ファイル長及び先頭のトラック番号、セクタ番号等のディレクトリ情報をディレクトリ情報登録領域２に書き込んでいる。」
　
　上記摘記事項（キ）、（ク）、及び、図面によれば、引用例２には次の発明（以下、「引用発明２」という。）が記載されている。
「ディレクトリによるファイル管理において、ライトワンスのメディア上に、ファイルデータを記録するファイルデータ領域と、ディレクトリ情報が書き込まれるディレクトリ情報登録領域を設けること」
　
４．対比
　本願発明と引用発明１とを対比する。
ａ）引用発明１において、情報記録媒体が記録データの書き込みは可能だが書き換えが不可能であることは、本願発明において、記録媒体がデータを１回だけ書き込み可能であることに相当する。
ｂ）引用発明１における、情報記録媒体に記録されたファイルを階層ディレクトリ管理することは、本願発明における、記録媒体に記録されているファイルを階層ディレクトリ構造で管理することに相当する。
ｃ）引用発明１における「ファイルＦ１〜Ｆ４」、「ルートディレクトリ」、「サブディレクトリＡ、Ｂ」は、本願発明における「ファイル」、「階層ディレクトリ構造における最上位ディレクトリ」、「階層ディレクトリ構造におけるサブディレクトリ」に相当する。
ｄ）引用発明１における各ディレクトリエントリは、情報記録媒体に記録されているファイルを階層ディレクトリ構造で管理するための管理データである。そして、引用発明１における「ファイルＦ１〜Ｆ４のディレクトリエントリ」は、記録媒体に記録されたファイルを示す管理データであるから、本願発明における「ファイルエントリ」に相当する。また、引用発明１における「サブディレクトリＡ、Ｂのディレクトリエントリ」は、サブディレクトリＡ、Ｂを識別する管理データであるから、本願発明における「サブエントリ」に相当する。
ｅ）引用発明１におけるシリアル番号０はルートディレクトリに対応するものであり、シリアル番号は、各ディレクトリエントリを識別する情報であるから、シリアル番号０で識別されるディレクトリエントリはルートディレクトリを示すものであり、本願発明における「ルートエントリ」に相当する。
ｆ）引用発明１における「ファイルＦ１〜Ｆ４のディレクトリエントリ」が含む情報中の、「ディレクトリエントリの親ディレクトリをシリアル番号で識別する親情報」は、本願発明における「ファイルの親ディレクトリを指示するルートエントリ又はサブエントリを特定する情報」に相当する。また、引用発明１における「ディレクトリエントリが示すファイルに付ける名称であるファイル名」、「ディレクトリエントリが管理するファイルが記録媒体のどの場所に記録されているかを示す位置情報」は、それぞれ本願発明における「指示しているファイルの名称」、「ファイルの実体データの記録位置を特定する情報」に相当する。
ｇ）引用発明１における「サブディレクトリＡ、Ｂのディレクトリエントリ」が含む情報中の、「サブディレクトリの名前」、「ディレクトリエントリの親ディレクトリをシリアル番号で識別する親情報」は、それぞれ本願発明における「指示しているサブディレクトリの名称」、「サブディレクトリの親ディレクトリを指示するルートエントリ又はサブエントリを特定する情報」に相当する。
　
　したがって、本願発明と引用発明１とは、
「データを１回だけ書き込み可能な記録媒体であって、ファイルの実体データと、記録されているファイルを階層ディレクトリ構造で管理する管理データとが記録される記録領域を有する記録媒体において、
　上記管理データとして、当該記録媒体に記録されたファイルを指示するファイルエントリ、及び、階層ディレクトリ構造におけるサブディレクトリを指示するサブエントリが、生成された各ファイル及びサブディレクトリに対応して記録され、
　上記ファイルエントリには、指示しているファイルの名称と、当該ファイルの親ディレクトリを指示するルートエントリ又はサブエントリを特定する情報と、当該ファイルの実体データの記録位置を特定する情報とが含められており、
　上記サブエントリには、指示しているサブディレクトリの名称と、当該サブディレクトリの親ディレクトリを指示するルートエントリ又はサブエントリを特定する情報とが含められている」点で一致し、以下の点で相違する。
　
（相違点１）
　本願発明は、記録媒体がビット単位で一回だけ書き込み可能であるのに対し、引用発明１は、記録媒体が如何なる単位で一回だけ書き込み可能であるのか明らかでない点。
　
（相違点２）
　本願発明は、記録媒体が、実体データ用と管理データ用の記録領域をそれぞれ有するのに対し、引用発明１はそうではない点。
　
（相違点３）
　本願発明はルートエントリがルートディレクトリに対応して記録されるのに対し、引用発明１はその対応するものが記録されない点。
　
（相違点４）
　本願発明は、記録媒体と、記録媒体とホスト機器との間のデータのやり取りを制御するメモリコントローラとを備えたメモリ装置の発明であるのに対し、引用発明１は記録媒体を対象としたディレクトリ管理方式の発明であり、また、本願発明は、管理データの各エントリがメモリコントローラによって記録されるのに対し、引用発明１はメモリコントローラによって記録されるものではない点。
　
５．判断
　そこで、上記相違点について判断する。
　
（相違点１について）
　記録媒体の書き込み可能な単位を「ビット単位」とすることは本願出願前より慣用事項であり、引用発明１において、記録媒体をビット単位で書き込むことに格別の困難性は認められない。
　したがって、引用発明１において、記録媒体をビット単位で一回だけ書き込み可能なものとすることは、当業者が容易に想到し得たことである。
　
（相違点２について）
　引用例２には、引用発明２、すなわち、
「ディレクトリによるファイル管理において、ライトワンスのメディア上に、ファイルデータを記録するファイルデータ領域と、ディレクトリ情報が書き込まれるディレクトリ情報登録領域を設けること」
が記載されている。そして、引用発明１と引用発明２とは、ともに書き込みが１回だけ可能な記録媒体におけるディレクトリ管理方式に関するものであるから、引用発明１において、引用発明２に基づいて、記録媒体を実体データ用と管理データ用の記録領域をそれぞれ有するものとすることは、当業者が容易に想到し得たことである。
　
（相違点３について）
　引用発明１では、シリアル番号１以降のエントリにはファイルやサブディレクトリの管理データが記録されており、これと同様に、ルートディレクトリに対応するシリアル番号０で識別されるエントリに、管理データを含むルートディレクトリエントリを記録することは、当業者が適宜為し得たことである。
　
（相違点４について）
　引用発明１は、データが１回だけ書き込み可能な記録媒体に適したディレクトリ管理方式を提供するものであるから、引用発明１を、データが一回だけ書き込み可能な記録媒体を用いた装置に適用することは、当業者が普通に考えることである。そして、記録媒体と、記録媒体とホスト機器との間のデータのやり取りを制御するメモリコントローラとを備え、記録媒体としてデータが１回だけ書き込み可能なＰＲＯＭを用いたメモリ装置は、特開昭６４−７２８７号公報（以下、「周知例」という。）に記載されているように本願出願前より周知であるから、引用発明１をＰＲＯＭを用いた周知のメモリ装置に適用し、記録媒体（ＰＲＯＭ）と、記録媒体とホスト機器との間のデータのやり取りを制御するメモリコントローラとを備えたメモリ装置の発明とすることは、当業者が容易に想到し得たことである。
　また、メモリコントローラが記録媒体を制御してデータの記録を行うことは、上記周知例に記載されているように技術常識であるから、記録媒体へ記録されるデータの一種である管理データの各エントリをメモリコントローラが記録するものとすることは、引用発明１をＰＲＯＭを用いた周知のメモリ装置に適用するに際して、当業者が容易に想到し得たことである。
　
　そして、本願発明の作用効果も、引用例１，２の記載事項から当業者が予測できる範囲のものである。
　したがって、本願発明は、引用発明１，引用発明２、及び、周知慣用事項に基いて、当業者が容易に発明をすることができたものである。
　
６．むすび
　以上のとおり、本願発明は、引用発明１，引用発明２、及び、周知慣用事項に基いて、当業者が容易に発明をすることができたものであるから、特許法２９条２項の規定により特許を受けることができない。
　したがって、本願は、他の請求項について検討するまでもなく、拒絶されるべきものである。
　よって、結論のとおり審決する。